(57)【要約】【課題】  より着脱の容易なカバーを備えた電源接続ユニットを得る。【解決手段】  Ｃ字状の開断面を有するレール３の当該開断面内で延設された導体バー９に電気的に接続される端子６ｂが突設され、レール３の長手方向の開口端に差し込まれたときに、端子６ｂが導体バー９に電気的に接続されて、端子６ｂに結線された電源供給線から端子６ｂを介して導体バー９に電源電力が供給されるようにした電源接続ユニットであって、電源接続ユニットの本体部４の上記長手方向の両端部に着脱可能に係合して該本体部４の表面を被覆するカバー１５を設けた。【選択図】      図１
2006302649.tif 000002
【特許請求の範囲】
【請求項１】
Ｃ字状の開断面を有するレールの当該開断面内で延設された導体バーに電気的に接続される端子が突設され、前記レールの長手方向の開口端に差し込まれたときに、前記端子が導体バーに電気的に接続されて、前記端子に結線された電源供給線から当該端子を介して前記導体バーに電源電力が供給されるようにした電源接続ユニットであって、
電源接続ユニットの本体部の前記長手方向の両端部に着脱可能に係合して該本体部の表面を被覆するカバーを備えることを特徴とする電源接続ユニット。
【請求項２】
前記レールは、室内壁に設けられた溝内に挿入されていることを特徴とする請求項１に記載の電源接続ユニット。
【発明の詳細な説明】
【技術分野】
【０００１】
本発明は、電源接続ユニットに関する。
【背景技術】
【０００２】
従来、室内の壁面等にＣ字状の開断面を有するレールを延設し、このレールにスライド可能に設置した可動体から電源電力を供給できるようにした電源供給システムが知られている。具体的には、可動体に電源コンセントブロックを設けたり、レールを天井に設けて可動体に照明器具を吊下したり、あるいはレールに通信用の配線を併設して可動体に通信ケーブルを接続できるようにしたものなどがある。
【０００３】
かかる電源供給システムでは、レールの開断面内で電源電力を供給するための導体バーを延設して、レールの長手方向に沿う任意の位置に固定した可動体の端子を当該導体バーに電気的に接続できるようにしている。
【０００４】
そして、この導体バーに電源電力を供給する電源接続ユニットとして、特許文献１に開示されるものが知られている。この特許文献１に開示される電源接続ユニットは、レールの長手方向の開口端に差し込み装着されるようになっており、差し込まれたときに、電源供給線が結線された端子とレールの導体バーとが電気的に接続されて、当該電源供給線から端子を経由して導体バーに電源電力を供給するものである。
【０００５】
ここで、特許文献１の電源接続ユニットには、本体部の表面を被覆するカバーが装着されている。
【特許文献１】実開昭６３−６９４９８号公報
【発明の開示】
【発明が解決しようとする課題】
【０００６】
しかしながら、このカバーは、本体部に対し、レールの幅方向（短手方向）の両端部で係合するように構成されているため、例えば、室内の壁に設けられた溝内にレールが収容されている場合など、当該幅方向にカバーを拡開できない場合には、着脱することができなくなってしまうという問題があった。
【０００７】
そこで、本発明は、より着脱の容易なカバーを備えた電源接続ユニットを得ることを目的とする。
【課題を解決するための手段】
【０００８】
請求項１の発明にあっては、Ｃ字状の開断面を有するレールの当該開断面内で延設された導体バーに電気的に接続される端子が突設され、上記レールの長手方向の開口端に差し込まれたときに、上記端子が導体バーに電気的に接続されて、上記端子に結線された電源供給線から当該端子を介して上記導体バーに電源電力が供給されるようにした電源接続ユニットであって、電源接続ユニットの本体部の上記長手方向の両端部に着脱可能に係合して該本体部の表面を被覆するカバーを備えることを特徴とする。
【０００９】
請求項２の発明にあっては、上記レールは、室内壁に設けられた溝内に挿入されていることを特徴とする。
【発明の効果】
【００１０】
請求項１の発明によれば、上記本体部の上記長手方向の両端部にカバーとの係合部を設定したため、カバーがレールの幅方向に拡開する余裕が無い場合にも、容易にカバーを着脱することができる。
【００１１】
請求項２の発明によれば、レールが室内壁の溝内に挿入されていて、カバーがレールの幅方向に拡開する余裕が無い場合にも、容易にカバーを着脱することができる。
【発明を実施するための最良の形態】
【００１２】
以下、本発明の実施形態について図面を参照しながら詳細に説明する。図１は、室内壁に設けられた溝に挿入したレールおよびそのレールに装着した本実施形態にかかる電源接続ユニットを示す斜視図、図２は、レールおよびそのレールに装着する本実施形態にかかる電源接続ユニットをレールの開口側から見た斜視図、図３は、レールおよびそのレールに装着する本実施形態にかかる電源接続ユニットをレールの底壁部側（壁側）から見た斜視図、図４は、図１の本実施形態にかかる電源接続ユニットにカバーを装着した状態を示す斜視図である。
【００１３】
室内の壁１には、一定幅で直線状に伸びる略矩形断面の溝２が延設されており、この溝２内に、可動体（図示せず）をスライド可能に支持するレール３が収容されている。可動体は、レール３の長手方向の任意の位置に固定できるようになっている。
【００１４】
レール３は、アルミニウム合金等の金属材料を成形することにより、実質的にＣ字状の一様断面を有する開断面部材として構成されており、基本的には、細長い板状の底壁部３ａと、当該底壁部３ａの短手方向（幅方向）両端に立設された一対の側壁部３ｂと、側壁部３ｂの上端部で幅方向内側に所定幅で張り出すフランジ部３ｃとを備えてなるものである。なお、外表面は塗装され、美観の向上が図られている。
【００１５】
そして、このレール３の開断面内（Ｃ字の内側）で、電源電力を供給するための一対の導体バー９が延設される。本実施形態では、一対の側壁部３ｂの近傍にそれぞれ断面Ｃ字状の溝３ｄを形成し、この溝３ｄ内に、導体バー９を保持する絶縁性保持部材８を固定している。この絶縁性保持部材８は、絶縁性樹脂等からなり、板状の導体バー９の表面の一部を長手方向に沿って細長く露出させた状態で当該導体バー９を被覆し、当該絶縁性保持部材８をレール３に固定した状態で、一対の導体バー９の露出面がレール３の幅方向に対向し、かつ、その露出面の両端縁で絶縁性保持部材８の一部がフランジ状に張り出すように構成されている。この露出面が、可動体の端子（図示せず）や、後述する電源接続ユニット（の本体部）４に突設される端子６ｂとの接触部分（導通部分）となる。
【００１６】
さらに、本実施形態では、絶縁性保持部材８と底壁部３ａとの隙間に、アース接続用の導体バー１０ａを内包するアース部材保持プレート１０を挿入している。このアース部材保持プレート１０は、導体バー１０ａの表面の一部を長手方向に沿って細長く露出させた状態で当該アース接続用の導体バー１０ａを被覆する。また、このアース部材保持プレート１０には、長手方向に伸びる相互に平行な一対の略Ｌ字状のアーム１０ｂを延設しておき、このアース部材保持プレート１０がレール３の開断面内に装着された状態で、当該アーム１０ｂが導体バー９の露出面付近まで進出して、導体バー９の露出面の保護カバーとして機能するようにしている。
【００１７】
そして、導体バー９に電源電力を供給すべく、レール３の長手方向の開口端に、電源接続ユニット（の本体部）４を差し込んで装着する。本実施形態では、電源接続ユニット（の本体部）４は、基本的に、基体部５と、レール３の開断面内に挿入される挿入部６と、この挿入部６がレール３の長手方向の開口端に正しく挿入された姿勢（以下、これを挿入姿勢と記す）で、基体部５からレール３の長手方向外側（開口端から離れる側）に突出する部分を有する基端側突出部７とを備えてなるものである。
【００１８】
このうち、挿入部６には、レール３のフランジ部３ｃと絶縁性保持部材８との隙間１１に嵌挿される一対のフランジ状のガイド突起６ａが設けられる一方、絶縁性保持部材８とアーム１０ｂとの間の隙間１２に挿入されて導体バー９に当接する一対の端子６ｂが設けられる。これらガイド突起６ａおよび端子６ｂは、いずれも、挿入姿勢で、レール３の幅方向（側壁部３ｂに近接する方向）に張り出しつつ当該レール３の長手方向に伸びている。また端子６ｂは導体バー９に接近する方向（張り出す方向）に弾性的に付勢されており、これにより、端子６ｂと導体バー９との電気的な接続がより確実なものとなるようにしている。また、挿入部６の先端側には、カバー１５を係止するための凹部６ｃが設けられている。
【００１９】
また、基体部５には、電源供給線（図示せず）を基端側（挿入姿勢で開口端から遠い側）から挿入する配線挿入孔５ａが形成されている。この配線挿入孔５ａに電源供給線を挿入して、ネジを締める等の結線処理を行うことで、当該電源供給線（内の導体）と端子６ｂとが電気的に接続されるようになっている。
【００２０】
一方、基端側突出部７は、金属導体によって構成するとともに、挿入姿勢において、底壁部３ａ側を挿入部６まで延在させ、電源接続ユニット（の本体部）４をレール３の開口端に差し込み装着したときに、導体からなるネジを介在させる等してアース接続用の導体バー１０ａに電気的に接続することで、アース経路の一部として用いるものである。また、この基端側突出部７は、挿入姿勢でレール３の底壁部３ａ側で当該開口端から離間する方向に伸びる一対の短冊状のアーム部７ａを有している。ここで、これら一対のアーム部７ａは側壁部３ｂに沿う姿勢で相互に平行となる姿勢とし、これら各アーム部７ａの長手方向側（基端側）かつ溝２の奥壁部側の角部に、矩形状の切欠部７ｂを形成している。
【００２１】
また、本実施形態では、レール３の開口端部に差し込み装着した電源接続ユニット（の本体部）４の表面を被覆するカバー１５を設けている。具体的には、カバー１５は、例えば絶縁性樹脂を成形してなるものであり、基本的には、矩形状の天壁部１５ａと、天壁部１５ａの短手方向端縁で天壁部１５ａと直交するように立設される一対の側壁部１５ｂと、天壁部１５ａの長手方向の一端縁で天壁部１５ａと直交するように立設される後壁部１５ｃとを備える。本実施形態では、一対の側壁部１５ｂと後壁部１５ｃとは平面視で略コ字状に配置されており、カバー１５を装着したとき、天壁部１５ａによって、レール３の開口端部に装着された電源接続ユニット（の本体部）４の表面を被覆し、側壁部１５ｂによって、当該基体部５および基端側突出部７の側面を被覆し、また、後壁部１５ｃによって、基端側突出部７を基端側から被覆するようになっている。
【００２２】
ここで、本実施形態では、カバー１５を、電源接続ユニット（の本体部）４の長手方向（挿入姿勢におけるレール３の長手方向）の両端部に着脱可能に係合している。具体的には、カバー１５の側壁部１５ｂの内面と後壁部１５ｃの内面との隅部付近に突起１５ｄを設けて、これをアーム部７ａの切欠部７ｂに係合する一方、天壁部１５ａの挿入姿勢で挿入先側となる部分の内面に爪部１５ｅを設けて、これを挿入部６の凹部６ｃに係合するようにしている。取付手順としては、図１に示すように、まず、後壁部１５ｃを、天壁部１５ａがレール３の長手方向に対して略垂直となる姿勢で溝２内に挿入して、突起１５ｄを切欠部７ｂに係合させ（Ｓ１）、次に、突起１５ｄを中心としてカバー１５を傾動させて、爪部１５ｅを凹部６ｃに係合させる（Ｓ２）。
【００２３】
こうして、図４に示すように、レール３の長手方向の開口端部に装着された電源接続ユニット（の本体部）４がカバー１５によって被覆された状態が得られる。なお、レール３の開口部は別途カバー１３によって被覆される。また、このとき、図４のように、カバー１５の天壁部１５ａの外面が壁１の表面とほぼ同じ高さ位置になるようにすれば、美観の向上を図ることができる。
【００２４】
以上の本実施形態によれば、電源接続ユニット（の本体部）４の長手方向の両端部に、カバー１５との係合部として、切欠部７ｂおよび凹部６ｃを設けたため、カバー１５がレール３の幅方向に拡開する余裕代（溝２の側壁とレール３の側壁部３ｂとの隙間）が少ない場合にも、カバー１５を容易に着脱することができる。
【００２５】
そして、かかる構成は、本実施形態にように、レール３が室内の壁１の溝２内に挿入されていて、カバー１５がレール３の幅方向に拡開する余裕代が少ない場合に、特に有効である。
【００２６】
以上、本発明の好適な実施形態を示したが、本発明は上記実施形態には限定されず、種々の変形が可能である。例えば、上記実施形態では、レールの側壁のほぼ全体が溝内に収容された場合について例示したが、溝をより浅く形成して、レールの一部が壁の表面から突出したり、溝が形成されず、平坦な壁の表面上にレールの底壁が取り付けられたものに対しても、本発明は実施することができる。また、係合部の形状や位置の他、レール、電源接続ユニット、カバーの形状等も、上記実施形態には限定されず、種々の変形が可能である。
【図面の簡単な説明】
【００２７】
【図１】室内壁に設けられた溝に挿入したレールおよびそのレールに装着した本発明の実施形態にかかる電源接続ユニットを示す斜視図。
【図２】レールおよびそのレールに装着する本発明の実施形態にかかる電源接続ユニットをレールの開口側から見た斜視図。
【図３】レールおよびそのレールに装着する本発明の実施形態にかかる電源接続ユニットをレールの底壁部側（壁側）から見た斜視図。
【図４】図１の電源接続ユニットにカバーを装着した状態を示す斜視図。
【符号の説明】
【００２８】
１  壁
２  溝
３  レール
４  （電源接続ユニットの）本体部
６ｂ  端子
９  導体バー
１５  カバー
【図１】
2006302649.tif 000003
【図２】
2006302649.tif 000004
【図３】
2006302649.tif 000005
【図４】
2006302649.tif 000006